【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
作動流体が封入されたシリンダと、該シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構とを備え、
前記減衰力発生機構は、バルブブロックとソレノイドブロックとを含み、
前記バルブブロックは、
内部に弁室を有するボディと該ボディに取り付けられて前記弁室を形成するカバーとを備え、挿入穴が設けられたケース部材と、
前記ケース部材内に保持されて前記ケース部材内に形成されたシート部に離着座する弁体と、を有し、
前記ソレノイドブロックは、前記バルブブロックに結合可能であって、前記バルブブロックの前記ケース部材内に保持された前記弁体に対向する作動ロッドを有し、
前記バルブブロックは、前記バルブブロックと前記ソレノイドブロックとが結合される前に、前記カバーが前記ボディに固定して取り付けられ、前記弁体と前記ケース部材となる前記カバーおよび前記ボディとで一体のサブアセンブリを形成し、
前記バルブブロックと前記ソレノイドブロックとが結合されたとき、前記作動ロッドが前記ケース部材の前記挿入穴を通って前記弁体と係合することを特徴とする緩衝器。
【請求項２】
前記シリンダの周囲には外筒が設けられ、該外筒には、前記バルブブロックを収納する筒状のケースが設けられ、該ケース内に前記バルブブロックを収納した状態で、前記ソレノイドブロックを前記ケースに取付けることにより、前記バルブブロックと前記ソレノイドブロックとを結合させることを特徴とする請求項１に記載の緩衝器。
【請求項３】
作動流体が封入されたシリンダと、該シリンダの周囲に設けられた外筒と、前記シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構と、を備え、
前記外筒には、前記減衰力発生機構を収納する筒状のケースが設けられ、
前記減衰力発生機構は、バルブブロックとソレノイドブロックとを含み、
前記バルブブロックは、
内部に弁室を有するボディと該ボディに取り付けられて前記弁室を形成するカバーとを備え、挿入穴が設けられたケース部材と、
前記ケース部材内に保持されて前記ケース部材内に形成されたシート部に離着座する弁体と、を有し、
前記ソレノイドブロックは、前記バルブブロックに結合可能であって、前記バルブブロックの前記ケース部材内に保持された前記弁体に対向する作動ロッドを有し、
前記作動ロッドが前記ケース部材の前記挿入穴を通って前記弁体と係合するように、前記バルブブロックと前記ソレノイドブロックとを一体に結合して、ソレノイドバルブサブアッセンブリを形成し、
該ソレノイドバルブサブアッセンブリを前記ケース内に挿入して取付けることを特徴とする緩衝器。
【請求項４】
前記ケース部材には、前記挿入穴の反対側に、結合部材の一端部が結合され、前記結合部材の他端側に作動流体の流れを制御するディスクバルブが設けられていることを特徴とする請求項１乃至３のいずれか１項に記載の緩衝器。
【請求項５】
前記結合部材は、嵌合部を前記ケース部材に形成された嵌合穴に嵌合して前記ケース部材に結合され、前記嵌合部には、軸方向に沿って延びる切欠部が形成され、該切欠部と前記嵌合穴との隙間に作動流体の流路を形成することを特徴とする請求項４に記載の緩衝器。
【請求項６】
前記バルブブロックと前記ソレノイドブロックとの結合部を締結する締結部が設けられ、該締結部は、前記弁体の下流側に位置することを特徴とする請求項１乃至５のいずれかに記載の緩衝器。
【請求項７】
前記バルブブロックが挿入され、一端側が前記バルブブロックに係合し、他端側が前記ソレノイドブロックに前記締結部によって締結されて、前記バルブブロックに軸力を付与した状態で前記バルブブロックと前記ソレノイドブロックとを結合する締結部材が設けられていることを特徴とする請求項６に記載の緩衝器。
【請求項８】
前記減衰力発生機構は前記シリンダの側部に配置され、前記締結部材の一端側と前記バルブブロックの間には、前記シリンダ内と連通する連通部材の一側を配することを特徴とする請求項７に記載の緩衝器。
【請求項９】
前記バルブブロックの前記カバーは、前記ケース部材に圧入、嵌合されるキャップによって前記ケース部材に固定されることを特徴とする請求項１乃至８のいずれか１項に記載の緩衝器。
【請求項１０】
前記キャップによる前記カバーの前記ケース部材への固定は、前記バルブブロックと前記ソレノイドブロックとが結合される前に行われることを特徴とする請求項９に記載の緩衝器。
【手続補正２】
【補正対象書類名】明細書
【補正対象項目名】０００７
【補正方法】変更
【補正の内容】
【０００７】
上記の課題を解決するために、本発明に係る緩衝器は、作動流体が封入されたシリンダと、該シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構とを備え、
前記減衰力発生機構は、バルブブロックとソレノイドブロックとを含み、
前記バルブブロックは、
内部に弁室を有するボディと該ボディに取り付けられて前記弁室を形成するカバーとを備え、挿入穴が設けられたケース部材と、
前記ケース部材内に保持されて前記ケース部材内に形成されたシート部に離着座する弁体と、を有し、
前記ソレノイドブロックは、前記バルブブロックに結合可能であって、前記バルブブロックの前記ケース部材内に保持された前記弁体に対向する作動ロッドを有し、
前記バルブブロックは、前記バルブブロックと前記ソレノイドブロックとが結合される前に、前記カバーが前記ボディに固定して取り付けられ、前記弁体と前記ケース部材となる前記カバーおよび前記ボディとで一体のサブアセンブリを形成し、
前記バルブブロックと前記ソレノイドブロックとが結合されたとき、前記作動ロッドが前記ケース部材の前記挿入穴を通って前記弁体と係合することを特徴とする。
また、本発明に係る緩衝器は、作動流体が封入されたシリンダと、該シリンダの周囲に設けられた外筒と、前記シリンダ内に摺動可能に嵌装されたピストンと、該ピストンに連結され前記シリンダの外部に延出されたピストンロッドと、前記シリンダ内の前記ピストンの摺動によって生じる作動流体の流れを制御して減衰力を発生させる減衰力発生機構と、を備え、
前記外筒には、前記減衰力発生機構を収納する筒状のケースが設けられ、
前記減衰力発生機構は、バルブブロックとソレノイドブロックとを含み、
前記バルブブロックは、
内部に弁室を有するボディと該ボディに取り付けられて前記弁室を形成するカバーとを備え、挿入穴が設けられたケース部材と、
前記ケース部材内に保持されて前記ケース部材内に形成されたシート部に離着座する弁体と、を有し、
前記ソレノイドブロックは、前記バルブブロックに結合可能であって、前記バルブブロックの前記ケース部材内に保持された前記弁体に対向する作動ロッドを有し、
前記作動ロッドが前記ケース部材の前記挿入穴を通って前記弁体と係合するように、前記バルブブロックと前記ソレノイドブロックとを一体に結合して、ソレノイドバルブサブアッセンブリを形成し、
該ソレノイドバルブサブアッセンブリを前記ケース内に挿入して取付けることを特徴とする。